(57)【特許請求の範囲】
【請求項１】
ライトバルブシステムであって、
ビデオ入力信号と対応するように連続して成分の色へと光を分離するように構成された色選択デバイス；
異なって偏光させられた成分の第一のセットへと前記成分の色を偏光させるように構成された第一の偏光ビームスプリッター；
第一の及び第二の液晶ディスプレイ、前記第一の及び第二の液晶ディスプレイの各々が、それぞれ、第一の及び第二の光のイメージを形成するために前記異なって偏光させられた成分の第一のセットの対応する一方を受けるように構成されたものであること；
異なって偏光させられた成分の第二のセットへと前記第一の及び第二の光のイメージを組み合わせるために前記第一の及び第二の光のイメージを受けるように構成された第二の偏光ビームスプリッター；並びに
投射された光のイメージを形成するために前記異なって偏光させられた成分の第二のセットの少なくとも一方を受けるように構成されたマイクロディスプレイ
：を備える、ライトバルブシステム。
【請求項２】
請求項１のライトバルブシステムにおいて、
前記マイクロディスプレイは、ディジタル光プロセッサーである、ライトバルブシステム。
【請求項３】
請求項１のライトバルブシステムであって、
さらにインテグレーターを備える、ライトバルブシステム。
【請求項４】
請求項１のライトバルブシステムであって、
さらに偏光子を備える、ライトバルブシステム。
【請求項５】
請求項１のライトバルブシステムであって、
さらに投射レンズ及び表示スクリーンを備える、ライトバルブシステム。
【請求項６】
請求項１のライトバルブシステムであって、
さらにミラープリズムを備える、ライトバルブシステム。
【請求項７】
請求項１のライトバルブシステムであって、
さらに照明レンズを備える、ライトバルブシステム。
【発明の詳細な説明】
【技術分野】
【０００１】
本発明は、光弁系に、より詳しくは、背面映写テレビジョンにおける使用のためのマイクロディスプレイを備えた光弁系に関する。
【背景技術】
【０００２】
従来の光弁系において、例えば、背面映写テレビジョン（ＲＰＴＶ）、デジタルシネマなどのようなディスプレイにおいて、ランプから出力された白色光は、一連の積分及びコリメーティング光学部品を通じて、液晶ディスプレイ（ＬＣＤ）、シリコン上の液晶（ＬＣＯＳ）、又はディジタル光処理（ＤＬＰ）系のようなマイクロディスプレイに方向付けられる。ＬＣＤ又はＬＣＯＳ系において、白色光は、ＬＣＯＳの場合には、偏光ビームスプリッター（ＰＢＳ）によって偏光させられた、及び、マイクロディスプレイ上へ方向付けられた、光のそれの成分の赤色、緑色、及び青色（ＲＧＢ）の帯域に分離される。マイクロディスプレイは、ピクセルのマトリックスを有する。マイクロディスプレイは、不連続な変調された光の信号又はピクセルの光のマトリックスを形成するために、ビデオ入力信号に基づいて制御器から出力されたグレースケールの因子の制御によって、入射光の成分のＲＧＢの帯域のピクセルの各々を変調するように、動作する。光のマトリックスは、マイクロディスプレイから反射される又は出力されると共に、ビデオ画像を形成するために光のピクセルを組み合わせる表示画面上に、変調された光を投射する投射レンズの系に方向付けられる。
【０００３】
ＤＬＰ系において、白色光は、光のそれの成分のＲＧＢの帯域に分離されると共に、ＤＬＰマイクロディスプレイ上へ反射される。マイクロディスプレイは、蝶番によって据え付けられた微小なミラーの配列を含有する半導体デバイスである。ミラーの各々は、マイクロディスプレイへのビデオ画像の入力における一つのピクセルに対応する。半導体が、ビデオ入力信号によって駆動されるとき、ミラーを、入射光の全て又はいくらかを反射させるために、傾斜させる又はスイッチを入れる及び切る。ミラーから反射させられるピクセルの配列は、ビデオ入力信号に対応する光のマトリックスを形成する。光のマトリックスを、マイクロディスプレイから反射させる又は出力すると共にビデオ画像を形成するための表示画面上へ変調された光を投射する投射レンズ系へ方向付ける。
【０００４】
これらのディスプレイ系の不都合は、暗い状態の背景に投射されたビデオ画像が、明るい状態の背景に投射されるビデオ画像に対する品質で劣ることである。ＬＣＤ又はＬＣＯＳ系において、マイクロディスプレイ上へ方向付けられた光の量が、マイクロディスプレイに対するビデオ画像の入力の明るさにもかかわらず、一定のままであるのだから、品質における差は、生ずる。ピクセルからピクセルへのグレースケールの変動は、それによって、ビデオ入力信号を処理するために使用されるビットの数によって、制限される。ビデオ入力信号が、光の全目盛りに対応する、一定の数のビットであるのだから、ビデオ画像のより暗いエリアにおける微妙な差に利用可能な非常に少ないビットがある傾向にある。例えば、マイクロディスプレイが、１０２４個のグレーシェード（１０ビットの出力のディジタル対アナログコンバーター）を再現することが可能であるとすれば、プログラムが、０から６４個のグレーシェードのみを含有するとき、正味の効果は、コントラストが乏しく見えると共にビデオ画像が、量子化の効果及び丸めの効果により、いくつかのレベルのノイズ及び輪郭の描きを有するように見えることである。ＤＬＰ系は、半導体の本質的に線形の応答により、ＬＣＯＳ又はＬＣＤ系よりも重度の輪郭を描く効果を被る。
【０００５】
明るい及び暗いビデオ画像の間に生ずる品質における差を緩和するために、マイクロディスプレイのコントラストをそれ自体増加させることが、知られている。しかしながら、マイクロディスプレイのコントラストを増加させることは、非常に高いデータ速度、非常に高い分解能のＤＡＣ、並びに、非常に決定的な光学的及び液晶の性能の要求に至る。
【発明の開示】
【発明が解決しようとする課題】
【０００６】
従って、特に暗いビデオ画像において、ビデオ画像についてのコントラストの比を強調すると共に輪郭を描く偽信号を減少させる、光弁系を開発することが、望ましい。
【課題を解決するための手段】
【０００７】
本発明は、ビデオ入力信号と一致するように、光の成分の色の帯域を時間的に減衰させるように構成される色選択デバイス、成分の色の帯域を、反対に偏光した成分に偏光させるように構成される第一の偏光ビームスプリッター、及び、投射された光のマトリックスを形成するための、反対に偏光した成分の少なくとも一つを受けるように構成されるマイクロディスプレイを含む光弁系に関する。
【０００８】
本発明は、ビデオ入力信号と一致するように、光をそれの成分の色の帯域に時間的に分離するように構成される色選択デバイス、成分の色の帯域を、第一の組みの反対に偏光した成分に偏光させるように構成される第一の偏光ビームスプリッター、第一及び第二の液晶ディスプレイを含み、第一及び第二の液晶ディスプレイの各々は、それぞれ、第一及び第二の光のマトリックスを形成するように、第一の組みの反対に偏光した成分の一つを受けるように構成され、本発明は、第一及び第二の光のマトリックスを、第二の組みの反対に偏光した成分に分離するための、第一及び第二の光のマトリックスを受けるように構成される第二の偏光ビームスプリッター、及び、投射された光のマトリックスを形成するための、第二の組みの反対に偏光した成分の少なくとも一つを受けるように構成されるマイクロディスプレイを含む光弁系にさらに関する。
【発明を実施するための最良の形態】
【０００９】
本発明を、以下の図を参照して、より詳細に記載することにする。
【００１０】
図１は、本発明の第一の実施形態に係る光弁系１を示す。その系１は、ランプ１０を含む。ランプ１０は、白色光４を発生させると共に、白色光４を一組みの照明光学部品１１に向かって投射する。照明光学部品１１は、例えば、偏光子及び／又は積分器を含んでもよい。この実施形態において、偏光子は、入射光をｓ偏光へ回転させるために、含まれる。照明光学部品１１は、色選択デバイス５に向かって白色のｓ偏光した光４のテレセントリックなビームを方向付ける。図説した実施形態において、色選択デバイス５は、互いに積み重ねられた液晶ディスプレイのいくつかの層を有する光学デバイスである、色切り替えデバイスである。このような色選択デバイス５の例は、ＣｏｌｏｒＬｉｎｋ，Ｉｎｃ．ｏｆ  Ｂｏｕｌｄｅｒ，Ｃｏｌｏｒａｄｏによって作られたＣＯＬＯＲＳＷＩＴＣＨ（商標）及びＤｉｇｉＬｅｎｓ，Ｉｎｃ．ｏｆ  Ｓｕｎｎｙｖａｌｅ，Ｃａｌｉｆｏｒｎｉａによって作られたＡｐｐｌｉｃａｔｉｏｎ  Ｓｐｅｃｉｆｉｃ  Ｉｎｔｅｇｒａｔｅｄ  Ｌｅｎｓ（ＡＳＩＬ）を含む。白色光４は、色選択デバイス５に入ると共に、色選択デバイス５は、それに入射する白色光４を、光１２の連続した成分の赤色、緑色、及び青色（ＲＧＢ）の帯域に、時間的にフィルター処理する。光の選択された帯域を、ディスプレイ制御器３によって色選択デバイスに印加されたディジタル制御信号の電圧に依存して、透過させる又は反射させる。また、色選択デバイス５は、ディスプレイ制御器３からの制御信号を受けるためのオン／オフ状態の電圧の入力を有する。ディスプレイ制御器３からの電圧のレベルが、高いとき、それは、色選択デバイス５を、オフ状態に駆動すると共に、ディスプレイ制御器３からの電圧のレベルが、低いとき、それは、色選択デバイス５を、光がそれを通じて透過させられるオン状態に駆動する。ディスプレイ制御器３は、マイクロディスプレイ７に対するビデオ入力信号のそれの処理のおかげで、ビデオ信号における分析を、それの内容を決定するために、行う。この分析において、ディスプレイ制御器３は、表示されるフレームについてピクセル毎の基準でビデオ入力信号を分析する。ピクセルの入力値のいずれも、全目盛りの半分を超えないとすれば、色選択デバイス５における電圧のレベルを制御する減衰は、全目盛りの５０％に設定される。反対に、入力のピクセル値が、このように最大限の黒色のスクリーンを示す、全てゼロであるとすれば、色選択デバイスを制御する電圧のレベルを、状態の電圧における最大限にまで減少させる。この減衰の制御は、特に、大部分が暗い内容を含有するフレームにおけるコントラストを強調する。最終的なコントラストが、系における光学構成部品を通じて達成されるコントラストの積であるので、例えば、色選択デバイス５が、５０：１のコントラストを有すると共に、マイクロディスプレイ７が、６００：１のコントラストを有するとすれば、測定された連続したコントラストは、特に暗い状態における改善されたコントラストのレベルを可能にする３００００：１である。
【００１１】
ディスプレイ制御器３は、マイクロディスプレイ７の伝達関数を備えたプログラムによって制御される。ディスプレイ制御器３をプログラムによって制御するために、マイクロディスプレイ７を、工場レベルで較正してもよく、又は、キャビネット又は投射光の経路において、例えば折りたたみミラーの背後で、光検知器によって自動的に較正してもよい。その較正を、２進のステップで行ってもよいのだから、較正は、わずかに数秒間かかるであろうし、且つ、ビデオ入力信号が知られた後で、通常の動作の間に行われてもよい。結果として、系１の動的なコントラストが、任意の付加的なハードウェアの費用なしに改善されると共に、顧客は、望まれない輪郭を描く効果を生じさせることなく選ぶ際に、ビデオ画像のピークの明るさを減少させる選択肢を有する。
【００１２】
光１２の連続した成分のＲＧＢの帯域は、色選択デバイス５を出ると共に、偏光ビームスプリッター８（ＰＢＳ）に向かって方向付けられる。入射光１２の入射のｓ偏光した成分１９を、偏光させる表面１７から第三の表面１５へ反射させる。マイクロディスプレイ７を、ＰＢＳ８の第三の表面１５の向こうに配置させると共に、光１２のｓ偏光した成分１９は、それに入射する。
【００１３】
図説した実施形態において、マイクロディスプレイ７は、シリコン上の液晶（ＬＣＯＳ）のイメージャである。あるいは、液晶ディスプレイ（ＬＣＤ）を、使用してもよいし、且つ光学系を、それに応じて調節してもよい。ＬＣＯＳのマイクロディスプレイ７は、入射光を、ディスプレイ制御器３から来るビデオ信号で変調することに役に立つ。投射した光のマトリックス１８のピクセルの各々は、マイクロディスプレイ７におけるそのピクセルに提供された個々のグレースケールの値に比例した強度又は輝度を有する。変調の結果として、ＬＣＯＳのマイクロディスプレイ７は、ＰＢＳ８の第三の表面１５を通じた逆戻りのｐ偏光した光のピクセル又は不連続なドットのマトリックスを含む光のマトリックス１８を反射させる。投射された光のマトリックス１８のｐ偏光した成分は、偏光させる表面１７を通じて、及び、第四の表面１６を通じてＰＢＳ８の外側に、通過する。投射された光のマトリックス１８は、第四の表面１６から投射レンズ系９へ方向付けられる。投射レンズ系９は、光のマトリックス１８を、ビデオ入力信号２に対応するビデオ画像を形成するために光のピクセルを組み合わせる、表示画面６上へ投射する。
【００１４】
図２は、本発明の第二の実施形態に係る光弁系２０を示す。系２０は、ランプ３５を含む。ランプ３５は、白色光２３を発生させると共に、照明光学部品３１に向かって白色光２３を投射する。照明光学部品３１は、例えば、連続した色の回復（ＳＣＲ）積分器のような、積分器を含んでもよい。積分器３１は、色選択デバイス２４に向かって、白色光２３のテレセントリックなビームを方向付ける。図説した実施形態において、色選択デバイス２４は、ディスクの円周に沿って均一に配置された扇状のセクタを備えたディスクを有する、色環である。セクタは、色環の回転に対応する時間的に調節された順序で、それに入射する白色光２３を、光２５のそれの成分のＲＧＢの帯域にフィルター処理する。色選択デバイス２４を、（示さない）モーターによって回転させると共に、フレーム毎の基準で、光２５のそれぞれの成分ＲＧＢの帯域を透過させるために、ビデオ入力信号２１と同調して、光２５の対応する成分ＲＧＢ帯域を透過させるために、ディスプレイ制御器２２によって制御する。
【００１５】
光２５の成分のＲＧＢの帯域は、ＰＢＳの配置５０に向かって方向付けられる。ＰＢＳの配置５０は、第一及び第二のＰＢＳ４６、４９、第一及び第二のミラープリズム４７、４８、並びに第一及び第二のＬＣＤ２６、２８を含む。あるいは、第一及び第二のＬＣＤ２６、２８を、積分器３１より前に配置してもよい。図３に示すように、光２５の成分のＲＧＢの帯域は、ｓ偏光した成分２７及びｐ偏光した成分４５を有するために、第一のＰＢＳ４６の第一の面４２に入ると共に、第一の偏光させる表面４３によって偏光させられる。最初に、ＰＢＳの配置５０を通じた光２５のＲＧＢの帯域のｓ偏光した成分２７の経路を、より詳細に記載することにし、そして、ｐ偏光した成分４５の経路を、より詳細に記載することにする。
【００１６】
ｓ偏光した成分２７は、第一のＰＢＳ４６の第二の面５６を通じて反射させられると共に、第一のミラープリズム４７に受けられる。ｓ偏光した成分２７は、第一のミラープリズム４７の外側で、且つ、第一のＬＣＤ２６に向かって、第一のミラーの表面５９によって反射させられる。第一のＬＣＤ２６は、例えば、ディスプレイ制御器２２から電気信号に結合させられる液晶のマトリックスを含有する単一のセルのパネルである。電気信号は、ＬＣＤ２６を、それに、それらを通過する光の偏光を回転させる又は回転なしに光を通過するために、制御する。
【００１７】
結果として、第一のＬＣＤ２６は、ｓ偏光した及びｐ偏光した成分を備えた光のピクセル又は不連続なドットのマトリックスを含む第一の光のマトリックス３８を透過させる。第一の光のマトリックス３８は、第二のＰＢＳ４９の第一の面４４に入ると共に、第二の偏光させる表面５３によって偏光させられる。第一の光のマトリックス３８の（示さない）ｓ偏光した成分を、第一の光のマトリックスのｐ偏光した成分６０が、第二の偏光させる表面５３を通じて且つ第二のＰＢＳ４９の外側で第三の面５２通じて照明レンズ３３に向かって通過する一方で、第二のＰＢＳ４９の第二の面５７を通じた反射させると共に捨てられる。
【００１８】
光２５の成分のＲＧＢの帯域のｐ偏光した成分４５は、第一の偏光させる表面４３を通じて、且つ、第二のＬＣＤ２８に向かって第一のＰＢＳ４６の第三の面５１を通じて、通過する。第二のＬＣＤ２８は、構造及び機能において第一のＬＣＤ２６に対して同一であると共に、このようなものとしては、それらのさらなる記載を省略してきた。第二のＬＣＤ２８は、ｓ偏光した及びｐ偏光した成分を備えた光のピクセル又は不連続なドットのマトリックスを含む第二の光のマトリックス５５を透過させる。第二の光のマトリックス５５は、第二のミラープリズム４８に入ると共に、第二のミラープリズム４８の外側で且つ第二のＰＢＳ４９に向かって第二のミラーの表面５８によって反射させられる。第二の光のマトリックス５５は、第二のＰＢＳ４９の第四の面５４に入ると共に、第二の偏光させる表面５３によって偏光させられる。第二の光のマトリックスの（示さない）ｐ偏光した成分は、第二の偏光させる表面５３を通過すると共に、第二のＰＢＳ４９の第二の面５７を通じて捨てられる。第二の光のマトリックスのｓ偏光した成分６１は、合計の明るさのかなり低い損失があるように、第三の面５２を通じて第二のＰＢＳ４９の外側で反射させられると共に、ｐ偏光した成分６０との組み合わせで照明レンズ３３によって受けられる。
【００１９】
図２に示すように、第二の光のマトリックス５５のｓ偏光した成分６１及び第一の光のマトリックス３８のｐ偏光した成分６０を、高いスループットの効率のために第三のミラープリズム３４へ照明レンズ３３によって同時に集束させる。第三のミラープリズム２３は、例えば、内部全反射（ＴＩＲ）のプリズム又は軸外の光学部品であってもよい。第二の光のマトリックス５５のｓ偏光した成分６１及び第一の光のマトリックス３８のｐ偏光した成分６０は、第三のミラープリズム３４の第一の表面３６を通過する。第二の光のマトリックス５５のｓ偏光した成分６１及び第一の光のマトリックス３８のｐ偏光した成分６０は、第三のミラープリズム３４の反射の表面４１から離れた角度で、且つ、第三のミラープリズム３４の第三の表面３７を通じて、反射させられる。ＤＬＰのマイクロディスプレイ３０は、第三のミラープリズム３４の第三の表面３７の向こうに配置されると共に、組み合わせられたｓ偏光した及びｐ偏光した成分６０、６１が、それに入射する。
【００２０】
ＤＬＰマイクロディスプレイ３０は、Ｔｅｘａｓ  Ｉｎｓｔｒｕｍｅｎｔｓ  Ｉｎｃｏｒｐｏｒａｔｅｄ  ｏｆ  Ｄａｌｌａｓ，Ｔｅｘａｓによって作られたＤＬＰのような、任意の適切なディジタル光処理装置（ＤＬＰ）であってもよい。マイクロディスプレイ３０は、Ｔｅｘａｓ  Ｉｎｓｔｒｕｍｅｎｔｓ  Ｉｎｃｏｒｐｏｒａｔｅｄ  ｏｆ  Ｄａｌｌａｓ，Ｔｅｘａｓによって作られたＤＩＧＩＴＡＬ  ＭＩＣＲＯＭＩＲＲＯＲ  ＤＥＶＩＣＥのような（示さない）光学的な半導体を有する。半導体は、蝶番で据え付けられた微小なミラーの配列を含有する。ミラーの各々は、ビデオ入力信号２１の（示さない）ビデオ画像における一つのピクセルに対応する。半導体が、ビデオ入力信号２１に基づいた制御器２２によって駆動されるとき、ミラーは、第一及び第二の光のマトリックス５１、４９の全て又はいくつかを反射させるために、傾斜させられる又はスイッチを入れられる若しくは切られる。切り替えられたミラーから反射させられたピクセルの配列は、ディスプレイ制御器２２からのビデオ入力信号２１に対応する、投射された光のマトリックス４０を形成する。
【００２１】
ＬＥＤ２６、２８の動作は、減衰の制御として役に立ち、それによって、いくらかのｐ偏光した及びいくらかのｓ偏光した光は、再結合の前に、捨てられる。例えば、第一の実施形態において上述したように、ビデオ入力ピクセル値のいずれも、全目盛りの半分を超えないとすれば、第一及び第二のＬＣＤ２６、２８は、入射光の五十パーセントを制御する。ビデオ入力信号２１が、最大限の黒色のスクリーンを示す実例において、第一及び第二のＬＣＤ２６、２８は、ディスプレイ制御器２２によって、最大に設定されると共に、マイクロディスプレイ３０は、非常に高い連続したコントラストを達成するために、ゼロで駆動される。このように、第一及び第二のＬＣＤ２６、２８が、５０：１のピークの減衰を有すると共に、マイクロディスプレイ３０が、少なくとも６００：１の連続したコントラストを有するとすれば、測定された連続したコントラストは、３０，０００：１である。
【００２２】
投射された光の最大４０は、ＴＩＲプリズム３４の第三の表面３７を通じた逆戻りのマイクロディスプレイ３０から反射させられる。投射された光のマトリックス４０は、ＴＩＲプリズム３４の反射させる表面４１を通じて、且つ、第四の表面３９を通じてＴＩＲプリズム３４の外側で、通過する。投射された光のマトリックス４０は、第四の表面３９から投射レンズ３２の系へ方向付けられる。投射レンズ３２は、ビデオ入力信号２１に対応するビデオ画像を形成するために、投射された光のマトリックス４０を、表示画面２９上へ投射する。
【００２３】
系２０は、マイクロディスプレイ３０が、光の交互の偏光で照明されることを可能にする利益を有するが、その光の交互の偏光は、偏光に基づいた立体撮像を可能にする。
【００２４】
前述のものは、本発明を実施するための可能性のいくつかを図説する。多くの他の実施形態が、本発明の範囲及び主旨内で可能である。従って、前述の記載が、限定することよりもむしろ、実例となるものとみなされることが、及び、本発明の範囲が、均等物のそれらの全目盛りと一緒に添付した特許請求の範囲によって与えられることが、意図される。
［付記］
付記（１）：光弁系であって、当該光弁系は、ビデオ入力信号と一致するように、光の成分の色の帯域を時間的に減衰させるように構成される色選択デバイス、該成分の色の帯域を少なくとも二つの偏光した成分に偏光させるように構成される第一の偏光ビームスプリッター、及び投射された光のマトリックスを形成するための、該少なくとも二つの偏光した成分の少なくとも一つを受けるように構成されるマイクロディスプレイを含む光弁系。
付記（２）：前記色選択デバイスは、電圧レベルの入力を使用して、光の成分の色の帯域を減衰させる、付記（１）に記載の光弁系。
付記（３）：前記色選択デバイスは、複数の積み重ねられた液晶ディスプレイを含む色切り替えデバイスである、付記（２）に記載の光弁系。
付記（４）：前記マイクロディスプレイは、シリコン上の液晶のイメージャである、付記（１）に記載の光弁系。
付記（５）：積分器をさらに含む、付記（１）に記載の光弁系。
付記（６）：偏光子をさらに含む、付記（１）に記載の光弁系。
付記（７）：投射レンズ及び表示画面をさらに含む、付記（１）に記載の光弁系。
付記（８）：光弁系であって、当該光弁系は、ビデオ入力信号と一致するように、光を成分の色の帯域に時間的に減衰させるように構成される色選択デバイス、該成分の色の帯域を第一の組みの反対に偏光した成分に偏光させるように構成される第一の偏光ビームスプリッター、第一及び第二の液晶ディスプレイを含み、該第一及び第二の液晶ディスプレイは、それぞれ、第一及び第二の光のマトリックスを形成するために該第一の組みの反対に偏光した成分の一つを受けるように構成され、当該光弁系は、該第一及び第二の光のマトリックスを第二の組みの反対に偏光した成分に分離するための、該第一及び第二の光のマトリックスを受けるように構成される第二の偏光ビームスプリッター、及び投射された光のマトリックスを形成するための、該第二の組みの反対に偏光した成分の少なくとも一つを受けるように構成されるマイクロディスプレイを含む光弁系。
付記（９）：前記マイクロディスプレイは、ディジタル光処理装置である、付記（８）に記載の光弁系。
付記（１０）：積分器をさらに含む、付記（８）に記載の光弁系。
付記（１１）：偏光子をさらに含む、付記（８）に記載の光弁系。
付記（１２）：投射レンズ及び表示画面をさらに含む、付記（８）に記載の光弁系。
付記（１３）：ミラープリズムをさらに含む、付記（８）に記載の光弁系。
付記（１４）：照明レンズをさらに含む、付記（８）に記載の光弁系。
【００２５】
［関連出願の相互参照］
この出願は、ここではその全体が参照によって組み込まれる、２００２年１２月４日に出願された“ＤＹＮＡＭＩＣ  ＲＡＮＧＥ  ＡＮＤ  ＣＯＮＴＲＡＳＴ  ＥＮＨＡＮＣＥＭＥＮＴ  ＦＯＲ  ＭＩＣＲＯＤＩＳＰＬＡＹ”と題された、米国仮特許出願第６０／４３０，８１８号（代理人の整理番号ＰＵ０２０４７０）の利益を請求する。
【図面の簡単な説明】
【００２６】
【図１】本発明の第一の実施形態に係る光弁系のブロック図である。
【図２】本発明の第二の実施形態に係る光弁系のブロック図である。
【図３】図２の系における使用のための偏光ビームスプリッターの配置の概略図である。
【図１】
0004801902.tif 000002
【図２】
0004801902.tif 000003
【図３】
0004801902.tif 000004